(57)【要約】【課題】本体周囲の塵埃の吹き飛ばしを抑制することができる電気掃除機を提供することを目的としている。【解決手段】モータ室から排出された気流は、床面に衝突し、圧力室に蓄積され、壁部材と仕切部材により形成される空間に蓄積され、通路を通って分離室へと循環するので、圧力室より吹き出した空気により、本体の周囲の床面の塵埃が吹き飛ばされるような事態が回避されるという効果を得る。【選択図】          図２
2005006714.tif 000002
【特許請求の範囲】
【請求項１】
モータの排気を床面方向へ導き、当該排気流を圧力室に蓄積し、本体を床面より浮上させて移動可能とした電気掃除機において、
上記圧力室の外側に設けたスカート部と、
上記スカート部を上記モータの吸気側へ連通する通路を備えたことを特徴とする電気掃除機。
【請求項２】
第１のモータの排気を床面方向へ導き、当該排気流を圧力室に蓄積し、本体を床面より浮上させて移動可能とした電気掃除機において、
上記圧力室からの排気を吸引して上記第１のモータの吸気側へ送り出す第２のモータ備えたことを特徴とする電気掃除機。
【請求項３】
モータの排気を床面方向へ導き、当該排気流を圧力室に蓄積し、本体を床面より浮上させて移動可能とした電気掃除機において、
電源コードを巻き取るコードリールへ、上記圧力室の排気を導いて、上記電気コードを冷却する冷却手段を備えたことを特徴とする電気掃除機。
【発明の詳細な説明】
【０００１】
【発明の属する技術分野】
本発明は、モータの排気を床面方向へ導き、当該排気流を圧力室に蓄積し、本体を床面より浮上させて移動可能とした電気掃除機に関する。
【０００２】
【従来の技術】
従来より、モータの排気を床面方向へ導き、当該排気流を圧力室に蓄積し、本体を浮上させて移動可能とした電気掃除機（以下、「浮上式電気掃除機」という）が提案されている（特許文献１を参照）。
【０００３】
【特許文献１】
特開平６−１３３９００号公報
【０００４】
この浮上式電気掃除機は、本体が床面と接触しないため、ユーザが吸い込み口が付いたホース（以下、「掃除用ホース」という）を移動する際、そのユーザが操作する掃除用ホースの動きに従って円滑に移動するので、ユーザの作業が楽に行えるという利点がある。
【０００５】
【発明が解決しようとする課題】
しかしながら、このような浮上式電気掃除機では、圧力室から吹き出す気流が、本体周囲の塵埃を吹き飛ばすため、ユーザの意図する清掃作業が行えないおそれがあった。
【０００６】
本発明は、かかる実情に鑑みてなされたものであり、本体周囲の塵埃の吹き飛ばしを抑制することができる電気掃除機を提供することを目的としている。
【０００７】
【課題を解決するための手段】
本発明は、モータの排気を床面方向へ導き、当該排気流を圧力室に蓄積し、本体を床面より浮上させて移動可能とした電気掃除機において、上記圧力室の外側に設けたスカート部と、上記スカート部を上記モータの吸気側へ連通する通路を備えたものである。
【０００８】
また、第１のモータの排気を床面方向へ導き、当該排気流を圧力室に蓄積し、本体を床面より浮上させて移動可能とした電気掃除機において、上記圧力室からの排気を吸引して上記第１のモータの吸気側へ送り出す第２のモータ備えたものである。
【０００９】
また、モータの排気を床面方向へ導き、当該排気流を圧力室に蓄積し、本体を床面より浮上させて移動可能とした電気掃除機において、電源コードを巻き取るコードリールへ、上記圧力室の排気を導いて、上記電気コードを冷却する冷却手段を備えたものである。
【００１０】
【発明の実施の形態】
以下、添付図面を参照しながら、本発明の実施の形態を詳細に説明する。
【００１１】
図１、図２、および、図３は、本発明の一実施例にかかる浮上式電気掃除機の一例を示している。また、本実施例では、吸気中の塵埃を除去する方式として、いわゆる、サイクロン方式を適用している。
【００１２】
図において、この浮上式電気掃除機の本体１は、略円筒状に形成されており、本体１の下部にはスカート部２が設けられている。本体１の中央部には、モータ３が固定されるモータ室４が設けられており、連結部５には、ホース６が連結される。
【００１３】
また、連結部５を介して、ホース６より流入した空気は、通路７を通って、本体１の上部に設けられているサイクロン方式の分離部８へ導かれ、分離部８を旋回中に、吸気中に含まれる塵埃が集塵室９へ集められる。
【００１４】
また、吸気流は、モータ室４の上端部に設けられている吸気孔部１０を介してモータ室４へと至り、さらに、モータ室４の下端部に設けられている排気孔部１１を介して、本体１の下側に設けられている圧力室１２へ至る。
【００１５】
圧力室１２は、その周囲が壁部材１３により仕切られており、そのさらに外側には、圧力室１２から流れ出た気流を蓄積するための仕切部材１４が設けられている。また、吸気路１５は、壁部材１３と仕切部材１４により形成される空間に蓄積された空気を通路７へ導くためのものである。
【００１６】
また、集塵室９の下位置には、電源コードを巻き取るためのコードリール１６が収容されている。
【００１７】
また、壁部材１３が床面に対向する部分１３ａは、本体１の内側方向へ湾曲する態様に形成されている。また、部分１３ａと床面との距離は、スカート部２が最も床面に近づく端部２ａと床面との距離よりも小さくなるように設定されている。
【００１８】
したがって、この浮上式電気掃除機に電源を投入して起動すると、モータ３が駆動され、それにより、ホース６から外気が流入し、通路７を通って分離室８へ流れ、さらに、吸気孔部１０を通してモータ室４へと導かれる。
【００１９】
そして、モータ室４から圧力室１２へ排気流が送り出されて、圧力室１２の圧力が十分な大きさになると、本体１が床面より浮上する。
【００２０】
それとともに、圧力室１２の壁部材１３の部分１３ａが、床面から離れるため、部分１３ａと床面との間の隙間から排気が外部方向へ放出され、壁部材１３と仕切部材１４により形成される空間に蓄積される。ここで、壁部材１３と仕切部材１４により形成される空間は、吸気路１５を通じてモータ室４の吸気側に連通されているので、壁部材１３と仕切部材１４により形成される空間に蓄積された空気は、吸気路１５を通って通路７へと至り、さらに、分離室８へ流れて、その空気に含まれる塵埃が除去される。
【００２１】
このようにして、本実施例では、モータ室４から排出された気流は、床面に衝突し、圧力室１２に蓄積され、壁部材１３と仕切部材１４により形成される空間に蓄積され、通路７を通って分離室８へと循環するので、本体１の真下の床面の塵埃が除去（掃除）されるとともに、圧力室１２より吹き出した空気により、本体１の周囲の床面の塵埃が吹き飛ばされるような事態が回避される。
【００２２】
図４、図５および図６は、本発明の他の実施例にかかる浮上式電気掃除機の一例を示している。なお、図において、図１〜３と同一部分および相当する部分には、同一符号を付している。
【００２３】
図において、この浮上式電気掃除機の本体１は、略円筒状に形成されており、本体１の下部にはスカート部２が設けられている。本体１の中央部には、モータ３が固定されるモータ室４が設けられており、連結部５には、ホース６が連結される。
【００２４】
また、連結部５を介して、ホース６より流入した空気は、通路７を通って、本体１の上部に設けられているサイクロン方式の分離部８へ導かれ、分離部８を旋回中に、吸気中に含まれる塵埃が集塵室９へ集められる。
【００２５】
また、吸気流は、モータ室４の上端部に設けられている吸気孔部１０を介してモータ室４へと至り、さらに、モータ室４の下端部に設けられている排気孔部１１を介して、本体１の下側に設けられている圧力室１２へ至る。
【００２６】
圧力室１２は、その周囲が壁部材１３により仕切られており、そのさらに外側には、仕切部材１４が設けられている。
【００２７】
また、集塵室９の下位置には、電源コードを巻き取るためのコードリール１６が収容されている。また、通路２０は、壁部材１３と仕切部材１４により形成される空間に蓄積された空気をコードリール１６へ導くためのものであり、スカート部２の周囲に所定数が適宜な間隔で配置されている。また、壁部材１３と仕切部材１４により形成される空間と、通路２０の間には、フィルタ２１が配置され、コードリール１６を収容している本体１の外壁面には、排気孔２２が、適宜な間隔で複数設けられている。
【００２８】
また、壁部材１３が床面に対向する部分１３ａは、本体１の内側方向へ湾曲する態様に形成されている。また、部分１３ａと床面との距離は、スカート部２が最も床面に近づく端部２ａと床面との距離よりも小さくなるように設定されている。
【００２９】
したがって、この浮上式電気掃除機に電源を投入して起動すると、モータ３が駆動され、それにより、ホース６から外気が流入し、通路７を通って分離室８へ流れ、さらに、吸気孔部１０を通してモータ室４へと導かれる。
【００３０】
そして、モータ室４から圧力室１２へ排気流が送り出されて、圧力室１２の圧力が十分な大きさになると、本体１が床面より浮上する。
【００３１】
それとともに、圧力室１２の壁部材１３の部分１３ａが、床面から離れるため、部分１３ａと床面との間の隙間から排気が外部方向へ放出され、壁部材１３と仕切部材１４により形成される空間に蓄積され、さらに、通路２０を通して、コードリール１６の収納部へと至る。
【００３２】
それにより、排気によってコードリール１６に巻き取られている電源コードが冷却され、排気孔２２を通して、外部へ排出される（図７参照）。
【００３３】
このようにして、本実施例では、圧力室１２より排出される気流は、壁部材１３と仕切部材１４により形成される空間、および、通路２０を通ってコードリール１６の収容部へ導かれ、排気孔２２より排出されるので、圧力室１２より吹き出した空気により、本体１の周囲の床面の塵埃が吹き飛ばされるような事態が回避される。また、例えば、電源コードを少ししか引き出していない状態で運転されている場合には、熱を持った電源コードが冷却されるので、好都合である。
【００３４】
図８および図９は、本発明のさらに他の実施例にかかる浮上式電気掃除機の一例を示している。なお、図において、図１〜３と同一部分および相当する部分には、同一符号を付している。
【００３５】
図において、この浮上式電気掃除機の本体１は、略円筒状に形成されており、本体１の内側の中央部の上部には、掃除用のモータ３’が固定されるモータ室４’が設けられており、連結部５には、ホース６が連結される。
【００３６】
また、モータ室４’の下側には、排気用のモータ３”を固定するモータ室４”が設けられており、モータ室４”の下面には、吸気孔２５を有する蓋部材２６が取り付けられている。また、モータ室４”の上部の側面には、モータ室４”に吸い込んだ空気をコードリール１６（後述）へと導くための排気路２７が、その周囲に適宜な間隔で複数設けられている。また、コードリール１６を収容している本体１の外壁面には、排気孔２２が、適宜な間隔で複数設けられている。
【００３７】
また、連結部５を介して、ホース６より流入した空気は、通路７を通って、本体１の上部に設けられているサイクロン方式の分離部８へ導かれ、分離部８を旋回中に、吸気中に含まれる塵埃が集塵室９へ集められる。
【００３８】
また、吸気流は、モータ室４の上端部に設けられている吸気孔部１０を介してモータ室４へと至り、さらに、モータ室４の下端部に設けられている排気孔部１１を介して、本体１の下側に設けられている圧力室１２へ至る。圧力室１２は、その周囲が壁部材１３により仕切られている。
【００３９】
また、集塵室９の下位置には、電源コードを巻き取るためのコードリール１６が収容されている。
【００４０】
したがって、この浮上式電気掃除機に電源を投入して起動すると、モータ３’およびモータ３”が駆動され、それにより、ホース６から外気が流入し、通路７を通って分離室８へ流れ、さらに、吸気孔部１０を通してモータ室４へと導かれる。
【００４１】
そして、モータ室４から圧力室１２へ排気流が送り出されて、圧力室１２の圧力が十分な大きさになると、本体１が床面より浮上する。
【００４２】
一方、圧力室１２の空気は、モータ３”によりモータ室４”へと吸引され、モータ室４”へ吸引された空気は、通路２７を通って、コードリール１６の収納部へと至る。
【００４３】
それにより、排気によってコードリール１６に巻き取られている電源コードが冷却され、排気孔２８を通して、外部へ排出される。
【００４４】
このようにして、本実施例では、圧力室１２の空気は、モータ３”によってモータ室４”へ吸引され、通路２７を通ってコードリール１６の収容部へ導かれ、排気孔２８より排出されるので、圧力室１２より吹き出した空気により、本体１の周囲の床面の塵埃が吹き飛ばされるような事態が回避される。また、例えば、電源コードを少ししか引き出していない状態で運転されている場合には、熱を持った電源コードが冷却されるので、好都合である。
【００４５】
【発明の効果】
以上説明したように、本発明によれば、モータ室から排出された気流は、床面に衝突し、圧力室に蓄積され、壁部材と仕切部材により形成される空間に蓄積され、通路を通って分離室へと循環するので、圧力室より吹き出した空気により、本体の周囲の床面の塵埃が吹き飛ばされるような事態が回避されるという効果を得る。
【００４６】
また、圧力室より排出される気流は、壁部材と仕切部材により形成される空間、および、通路を通ってコードリールの収容部へ導かれ、排気孔より排出されるので、圧力室より吹き出した空気により、本体の周囲の床面の塵埃が吹き飛ばされるような事態が回避されるとともに、例えば、電源コードを少ししか引き出していない状態で運転されている場合には、熱を持った電源コードが冷却されるという効果も得る。
【００４７】
また、圧力室の空気は、排気用モータによってへ吸引され、通路を通ってコードリールの収容部へ導かれ、排気孔より排出されるので、圧力室より吹き出した空気により、本体の周囲の床面の塵埃が吹き飛ばされるような事態が回避されるとともに、例えば、電源コードを少ししか引き出していない状態で運転されている場合には、熱を持った電源コードが冷却されるという効果も得る。
【図面の簡単な説明】
【図１】本発明の一実施例にかかる浮上式電気掃除機の一例を示した概略平面図。
【図２】本発明の一実施例にかかる浮上式電気掃除機の一例を示した概略側面図。
【図３】本発明の一実施例にかかる浮上式電気掃除機の一例を示した概略部分断面図（垂直方向断面）。
【図４】本発明の他の実施例にかかる浮上式電気掃除機の一例を示した概略側面図。
【図５】本発明の他の実施例にかかる浮上式電気掃除機の一例を示した概略平面図。
【図６】本発明の他の実施例にかかる浮上式電気掃除機の一例を示した概略部分断面図（垂直方向断面）。
【図７】本発明の他の実施例にかかる浮上式電気掃除機の動作を説明するための概略部分断面図。
【図８】本発明のさらに他の実施例にかかる浮上式電気掃除機の一例を示した概略側面図。
【図９】本発明の他の実施例にかかる浮上式電気掃除機の一例を示した概略部分断面図（垂直方向断面）。
【符号の説明】
３，３’，３”  モータ
４，４’，４”  モータ室
１５  吸気路
１６  コードリール
２０  通路
２１  フィルタ
２２，２８  排気孔
２７  排気路
【図１】
2005006714.tif 000003
【図２】
2005006714.tif 000004
【図３】
2005006714.tif 000005
【図４】
2005006714.tif 000006
【図５】
2005006714.tif 000007
【図６】
2005006714.tif 000008
【図７】
2005006714.tif 000009
【図８】
2005006714.tif 000010
【図９】
2005006714.tif 000011